(57)【要約】【課題】本発明は、肩関節脱臼の治療において、上肢下垂位、肘を直角に曲げた状態で肩を所定位置に支える肩関節脱臼急性期固定用装具を提供することを目的とする。【解決手段】本発明の肩関節脱臼急性期固定用装具Ａは、所定長さからなる厚板状を折り曲げて形成した支えフレーム１と、該支えフレーム１を身体の胴部に装着固定する胴巻き帯２とからなる。前記支えフレーム１は、二の腕の幅以上で、軽量硬質の厚板材料から一体に形成され、身体の腹部の形状に沿った湾曲部３と該湾曲部３の一端から屈曲部４を介して前方へ一体に延設させ、所定角度に折り曲げられた略二の腕長さの腕支え側面５とからなる。また、前記支えフレーム１の前記腕支え側面５の外側には、幅広状バンドの腕支え部材６を上下方向に背面を接着固定し、腕支え部材６に雄（フック）の面ファスナー７、雌（ループ）の面ファスナー８を設けたものである。【選択図】  図１
2004261531.tif 000002
【特許請求の範囲】
【請求項１】
ほぼ二の腕の幅以上で、軽量硬質の厚板材料から一体に形成され、身体の腹部の形状に沿った湾曲部と該湾曲部の一端から屈曲部を介して前方へ一体に延設させ、所定角度に折り曲げられた略二の腕長さの腕支え側面とを備えた支えフレームと、前記腕支え側面に二の腕を固定する腕支え部材を備えると共に、前記支えフレームと同一幅の可撓性材料からなり、前記支えフレームを身体の胴部に装着する面ファスナーを備える胴巻き帯とからなることを特徴とする肩関節脱臼急性期固定用装具。
【請求項２】
前記屈曲部は、両腕の折曲力以上であれば塑性変形可能に構成し、前記腕支え側面を所定角度−２０゜〜３０゜の範囲で角度変更することができることを特徴とする請求項１記載の肩関節脱臼急性期固定用装具。
【請求項３】
ほぼ二の腕の厚さ以上で、軽量硬質の合成樹脂材料から形成され、身体の腹部の形状に沿った湾曲部と該湾曲部の両端から前方へ延設させ、少なくとも一方の脇腹側から外向きに５°〜１０°の範囲の角度とした略二の腕長さの腕支え側面と他方の脇腹側から前記腕支え側面に交接させる傾斜正面とを有する略三角形の支えブロックと、前記腕支え側面に二の腕を固定する腕支え部材を備えると共に、前記支えブロックと同一幅の可撓性材料からなり、前記支えブロックを身体の胴部に装着する面ファスナーを備える胴巻き帯とからなることを特徴とする肩関節脱臼急性期固定用装具。
【請求項４】
前記腕支え部材は、前記腕支え側面に面ファスナーにより着脱自在に固定されることを特徴とする請求項１、２又は３記載の肩関節脱臼急性期固定用装具。
【発明の詳細な説明】
【０００１】
【発明の属する技術分野】
本発明は、肩関節脱臼の治療において、肩関節を所定位置に固定する肩関節脱臼急性期固定用装具に関する。
【０００２】
【従来の技術】
従来、肩関節脱臼の治療は、首から吊した三角巾を使用して副木により固定した腕を支えるものであった。
ところが、首から吊した三角巾を使用して腕を吊る状態は、肩が内旋位に固定される。
しかし、内旋位は好ましくなく、外旋位が好ましいことが最近の研究で明らかになった。
また、三角巾で腕を吊ることは決して楽ではなく、腕の重みが首又は肩に掛かり苦痛になったり、痛みを感じたりすることがあった。
そこで、種々の肢位に対応が可能であり、且つ個々の患者にも容易に対応することができ、軽量で、患者の動きにも充分な固定が得られる肩関節固定用装具が特開２００１―２９９７８９号公報として公知となっている。
【０００３】
【特許文献】
前記特開２００１―２９９７８９号公報は、図８（ａ）（ｂ）に示すように、固定体１のＥ又はＦ面のどちらか一方を腹部に、残り一方を患者前腕部に接するように置き、患側上肢を２本の上肢保持ベルト１０により把持し固定し、長さを調節した吊り下げベルト１３を健側肩にかけながら背後に回し固定体１に固定する。
図８（ｃ）（ｄ）に示すように、固定体１の安定性を高めるため、更に固定体保持ベルト１６の分割していない側の一端１７を固定体１のＤ面上に固定し、分割した他端１８の一方をＡ面に、他方をＦ面に固定し、腹部及び腰部を覆った形で固定体１と結合する。
各ベルト１０、１３、１６と固定体１とは相互に面ファスナーにより固定される。
【０００４】
【発明が解決しようとする課題】
本発明は、肩関節脱臼の治療において、上肢下垂位、肘を直角に曲げた状態で肩を所定位置に支える肩関節脱臼急性期固定用装具を提供することを目的とする。
【０００５】
【課題を解決するための手段】
そのために、本発明の肩関節脱臼急性期固定用装具は、ほぼ二の腕の幅以上で、軽量硬質の厚板材料から一体に形成され、身体の腹部の形状に沿った湾曲部と該湾曲部の一端から屈曲部を介して前方へ一体に延設させ、所定角度に折り曲げられた略二の腕長さの腕支え側面とを備えた支えフレームと、該支えフレームと同一幅の可撓性材料からなり、前記支えフレームを身体の胴部に装着する面ファスナーを備える胴巻き帯とからなるものである。
また、前記屈曲部は、両腕の折曲力以上であれば塑性変形可能に構成し、前記腕支え側面を所定角度−２０゜〜３０゜の範囲で角度変更することができるものである。
さらに、本発明の肩関節脱臼急性期固定用装具は、ほぼ二の腕の厚さ以上で、軽量硬質の合成樹脂材料から形成され、身体の腹部の形状に沿った湾曲部と該湾曲部の両端から前方へ延設させ、少なくとも一方の脇腹側から外向きに５°〜１０°の範囲の角度とした略二の腕長さの腕支え側面と該腕支え側面に二の腕を固定する腕支え部材を備え、他方の脇腹側から前記腕支え側面に交接させる傾斜正面とを有する略三角形の支えブロックと、該支えブロックと同一幅の可撓性材料からなり、前記支えブロックを身体の胴部に装着する面ファスナーを備える胴巻き帯とからなる
また、前記腕支え部材は、前記腕支え側面に着脱自在に固定されるものである。
【０００６】
【発明の実施の形態】
以下、本発明の実施例を添付図面に基づいて説明する。
本発明の肩関節脱臼急性期固定用装具Ａは、図１に示すように、所定長さからなる厚板状を折り曲げて形成した支えフレーム１と、該支えフレーム１を身体の胴部に装着固定する胴巻き帯２とからなる。
前記支えフレーム１は、二の腕の幅以上で、軽量硬質の厚板材料、例えば木製、ポリエチレン、ポリプロピレン、発泡スチロール等の合成樹脂製から一体に形成され、身体の腹部の形状に沿った湾曲部３と該湾曲部３の一端から屈曲部４を介して前方へ一体に延設させ、所定角度に折り曲げられた略二の腕長さの腕支え側面５とからなる。
例えば、合成樹脂製の場合は、前記屈曲部４を薄肉に形成してヒンジ機構となし、前記屈曲部４には断面くの字状のアルミ金属板等の屈曲板２０を埋設させて両腕の折曲力以上であれば塑性変形可能に構成する。
なお、前記屈曲板２０は、前記折曲部４の補強にもなっている。
前記屈曲部４は前記腕支え側面５を所定角度−２０゜〜３０゜の範囲で角度変更することができるように構成するが、最適角度は５°〜１０°の範囲の角度である。
図７に示すように、０゜は、正面を向いた姿勢で脇腹に平行に前方に延ばした中間位の角度であり、−２０゜とは、前記０゜から腹部に近づく方向に旋回した内旋位の角度であり、３０゜とは、前記０゜から腹部から離れる方向に旋回した外旋位の角度である。
また、前記支えフレーム１の前記腕支え側面５の外側には、幅広状バンドの腕支え部材６を上下方向に背面を接着固定し、腕支え部材６の一端の内側に雄（フック）の面ファスナー７を設け、腕支え部材６の他端の外側に雌（ループ）の面ファスナー８を設けたものである。
なお、腕支え部材６は、図１においては前後に２本形成したがこれに限らず、前記腕支え側面５の長さ一杯の幅広状バンドを１本とすることもできる。
前記胴巻き帯２は、前記支えフレーム１と同一幅の革製、布製、合成繊維製又は合成樹脂製の可撓性帯状材料からなり、前記支えフレーム１の屈曲部４側に一端を固定し、他端を自由端として内面に雄（フック）の面ファスナー７を備える。
なお、前記胴巻き帯２の雄（フック）の面ファスナー７は、前記支えフレーム１の湾曲部３の表面に取り付けられた雌（ループ）の面ファスナー８と係合する。
前記屈曲部４の胴巻き帯２の外面に雌（ループ）の面ファスナー８を設けると共に、前記胴巻き帯２の他端の外面に雌（ループ）の面ファスナー８を設ける。
そして、首から吊り下げるために両端の内側に雄（フック）の面ファスナー７を設けた吊り下げバンド９を設け、吊り下げバンド９の雄（フック）の面ファスナー７を前記屈曲部４の胴巻き帯２の外面の雌（ループ）の面ファスナー８と前記胴巻き帯２の他端の外面の雌（ループ）の面ファスナー８にそれぞれ係合させ吊り下げることができる。
【０００７】
次に、本発明の他の実施例を添付図面に基づいて説明する。
本発明の他の実施例の肩関節脱臼急性期固定用装具Ｂは、前記肩関節脱臼急性期固定用装具Ａのように腕支え側面５を角度変更可能にしたものでなく、腕支え側面５を水平角度の外旋位５°〜１０°の範囲の角度に固定したものである。
なお、前記水平角度は、前記肩関節脱臼急性期固定用装具Ａのように所定角度−２０゜〜３０゜の範囲で設計変更することが出来るが、最適角度は５°〜１０°の範囲の角度である。
本発明の肩関節脱臼急性期固定用装具Ｂは、図２に示すように、所定厚さからなる略三角形状の支えブロック１０と、該支えブロック１０を身体の胴部に装着固定する胴巻き帯２とからなる。
前記支えブロック１０は、二の腕の幅以上で、軽量硬質の合成樹脂材料、例えばポリエチレン、ポリプロピレン、発泡スチロール等から形成され、身体の腹部の形状に沿った湾曲部３と該湾曲部３の両端から前方へ延設させ、一方の脇腹側から外向きに５°〜１０°の範囲の角度とした略二の腕長さの腕支え側面５と、他方の脇腹側から前記腕支え側面５に交接させた傾斜正面１１とからなる略三角形である。
また、前記支えブロック１０には、前記腕支え側面５に帯状バンドの腕支え部材６を上下方向に背面を接着固定し、先端にそれぞれ面ファスナー７、８を設けたものである。
前記胴巻き帯２は、前記支えブロック１０と同一幅の革製、布製、合成繊維製又は合成樹脂製の可撓性材料からなり、前記支えブロック１０の腕支え側面５側に一端を固定し、他端を自由端として内面に雄（フック）の面ファスナー７を備える。
なお、前記胴巻き帯２の雄（フック）の面ファスナー７は、前記支えブロック１０の傾斜正面１１の表面に取り付けられた雌（ループ）の面ファスナー８と係合する。
そして、前述と同様に、首から吊り下げるために両端の内側に面ファスナー７、７を設けた吊り下げバンド９を設け、吊り下げバンド９の面ファスナー７を前記腕支え側面５側の胴巻き帯２の外面の面ファスナー８と前記胴巻き帯２の自由端の外面の面ファスナー８にそれぞれ係合させることができる。
なお、別の実施例として、支えブロック１２は、軽量硬質の合成樹脂材料、例えば中空状のプラスチック容体から三角形形状に形成することもできる。
【０００８】
次に、前記腕支え側面５に固定される腕支え部材６の他の実施例について図面に基づいて説明する。
図３に示すように、第一実施例の腕支え部材６は、円筒状の円周面の一部に開口部１３を形成した円筒状腕支え部材１４と、前記開口部１３の位置に上下から挟むように形成し、先端に面ファスナー７、８を備えた帯状の支えバンド１５と、前記円筒状腕支え部材１４の前記腕支え側面５側に設けた固定板１６に敷設した面ファスナー７とからなる。
一方、前記腕支え側面５には、前記固定板１６に敷設した面ファスナー７（雄）と係合する面ファスナー８（雌）が敷設される。
したがって、円筒状腕支え部材１４に腕を挿入し、支えバンド１５を締めることにより簡単に腕支え側面５に支持固定することができるし、また円筒状腕支え部材１４及び固定板１６は腕支え側面５と面ファスナー７で接合されているので、円筒状腕支え部材１４に腕を挿入した状態のままで、腕支え側面５から取り外すこともできる。
【０００９】
図４に示すように、第二実施例の腕支え部材６は、樋状の一部に開口部１３を形成した樋状腕支え部材１７と、前記開口部１３の位置に上下から挟むように形成し、先端に面ファスナー７、８を備えた帯状の支えバンド１５と、前記樋状腕支え部材１７の前記腕支え側面５側に敷設した面ファスナー７とからなる。
一方、前記腕支え側面５には、前記樋状腕支え部材１７の前記腕支え側面５側に敷設した面ファスナー７（雄）と係合する面ファスナー８（雌）が敷設される。
したがって、樋状腕支え部材１７に腕を挿入し、支えバンド１５を締めることにより簡単に腕支え側面５に支持固定することができるし、また前述した腕支え部材１４と同様に、前記樋状腕支え部材１７に腕を挿入した状態のままで、腕支え側面５から取り外すこともできる。
【００１０】
図５に示すように、第三実施例の腕支え部材６は、逆Ｌ字状に形成した逆Ｌ字状腕支え部材１８と、前記逆Ｌ字状腕支え部材１８に腕を上下から挟むように形成し、先端に面ファスナー７、８を備えた幅広帯状の支えバンド１９と、前記逆Ｌ字状腕支え部材１８の前記腕支え側面５側に敷設した面ファスナー７とからなる。
一方、前記腕支え側面５には、前記逆Ｌ字状腕支え部材１８の前記腕支え側面５側に敷設した面ファスナー７（雄）と係合する面ファスナー８（雌）が敷設される。
したがって、逆Ｌ字状腕支え部材１８に腕を載せ、支えバンド１５を締めることにより簡単に腕支え側面５に支持固定することができるし、また前述した腕支え部材１４と同様に、前記逆Ｌ字状腕支え部材１８に腕を挿入した状態のままで、腕支え側面５から取り外すこともできる。
【００１１】
次に、本発明の肩関節脱臼急性期固定用装具Ａを使用する場合について、図面に基づいて説明する。
まず、図６に示すように、支えフレーム１の湾曲部３を身体の腹部に当てて、胴巻き帯２を背中に廻し、胴巻き帯２の自由端の面ファスナー７を湾曲部３の表面の面ファスナー８に係合させて、身体の胴部に肩関節脱臼急性期固定用装具Ａを装着する。
なお、前記胴巻き帯２の屈曲部４側の面ファスナー８と胴巻き帯２の自由端の面ファスナー８にあらかじめ吊り下げバンド９の面ファスナー７、７を係合させて、首に吊り下げバンド９を掛けてから胴巻き帯２を背中に廻し、支えフレーム１の湾曲部３を身体の腹部に当てて、胴巻き帯２の自由端の面ファスナー７を湾曲部３の表面の面ファスナー８に係合させて、身体の胴部に肩関節脱臼急性期固定用装具Ａを装着しても良い。
そして、副木（そえぎ）をした腕を支えフレーム１の腕支え側面５に当てて、腕支え部材６により二の腕を上下から包み込み、先端の面ファスナー７、８により二の腕を固定する。
その際に、支えフレーム１は身体の腰部に位置しているので、腕は肘関節部でＬ字状に曲げられ、図６に示すように、二の腕は脇腹側から所定の水平角度で支えフレーム１に支持固定される。
また、肩関節脱臼急性期固定用装具Ａは、屈曲部４で水平角度、すなわち図７に示すように水平方向の角度を−２０゜〜３０゜の範囲で角度変更することが出来るので、予め調節しておくことにより適宜位置で腕支え側面５の二の腕を支持することが出来る。
前記水平角度は、外旋位側、すなわち外側へ進むほど肩関節脱臼の治癒が早いが、身体より外側に二の腕がはみ出すので日常生活においては不便であり、一方内旋位側、すなわち内側へ進むほど日常生活に支障は生じないが、肩関節脱臼の治癒が遅くなる。
そのため、水平角度の最適範囲は、外旋位５゜〜１０゜が望ましいが、個々の症例において至適角度は異なると考えられ、ある程度の幅を持たせて角度調節ができるようにした。
【００１２】
【効果】
このように、本発明の肩関節脱臼急性期固定用装具は、肩関節脱臼の治療において、上肢下垂位で肘を直角に曲げ、二の腕が水平角度−２０゜〜３０゜の範囲で角度変更でき、腕を固定することができるので、確実に肩関節脱臼の治癒ができる。
また、首から吊るようなことがないため、腕の重みが首又は肩に掛かり苦痛になったり、痛みを感じたりすることがない。
【図面の簡単な説明】
【図１】本発明の肩関節脱臼急性期固定用装具Ａの斜視図である。
【図２】本発明の肩関節脱臼急性期固定用装具Ｂの斜視図である。
【図３】本発明の腕支え部材の第一実施例の斜視図である。
【図４】本発明の腕支え部材の第二実施例の斜視図である。
【図５】本発明の腕支え部材の第三実施例の斜視図である。
【図６】本発明の肩関節脱臼急性期固定用装具Ａの装着状態の説明図である。
【図７】本発明の腕の水平角度を説明する平面図である。
【図８】従来の肩関節固定用装具の使用状態の斜視図である。
【符号の説明】
１  支えフレーム
２  胴巻き帯
３  湾曲部
４  屈曲部
５  腕支え側面
６  腕支え部材
７  面ファスナー（雄）
８  面ファスナー（雌）
９  吊り下げバンド
１０  支えブロック
１１  傾斜正面
１２  支えブロック
１３  開口部
１４  円筒状腕支え部材
１５  支えバンド
１６  固定板
１７  樋状腕支え部材
１８  逆Ｌ字状腕支え部材
１９  支えバンド
２０  屈曲板
【図１】
2004261531.tif 000003
【図２】
2004261531.tif 000004
【図３】
2004261531.tif 000005
【図４】
2004261531.tif 000006
【図５】
2004261531.tif 000007
【図６】
2004261531.tif 000008
【図７】
2004261531.tif 000009
【図８】
2004261531.tif 000010
【手続補正書】
【提出日】平成15年11月11日(2003.11.11)
【手続補正１】
【補正対象書類名】明細書
【補正対象項目名】全文
【補正方法】変更
【補正の内容】
【特許請求の範囲】
【請求項１】ほぼ前腕の幅以上で、軽量硬質の厚板材料から一体に形成され、身体の腹部の形状に沿った湾曲部と該湾曲部の一端から屈曲部を介して前方へ一体に延設させ、所定角度に折り曲げられた略前腕長さの腕支え側面とを備えた支えフレームと、前記腕支え側面に前腕を固定する腕支え部材を備えると共に、前記支えフレームと同一幅の可撓性材料からなり、前記支えフレームを身体の胴部に装着する面ファスナーを備える胴巻き帯とからなることを特徴とする肩関節脱臼急性期固定用装具。
【請求項２】前記屈曲部は、両腕の折曲力以上であれば塑性変形可能に構成し、前記腕支え側面を所定角度−２０゜〜３０゜の範囲で角度変更することができることを特徴とする請求項１記載の肩関節脱臼急性期固定用装具。
【請求項３】ほぼ前腕の幅以上で、軽量硬質の合成樹脂材料から形成され、身体の腹部の形状に沿った湾曲部と該湾曲部の両端から前方へ延設させ、少なくとも一方の脇腹側から外向きに５°〜１０°の範囲の角度とした略前腕長さの腕支え側面と他方の脇腹側から前記腕支え側面に交接させる傾斜正面とを有する略三角形の支えブロックと、前記腕支え側面に前腕を固定する腕支え部材を備えると共に、前記支えブロックと同一幅の可撓性材料からなり、前記支えブロックを身体の胴部に装着する面ファスナーを備える胴巻き帯とからなることを特徴とする肩関節脱臼急性期固定用装具。
【請求項４】前記腕支え部材は、前記腕支え側面に面ファスナーにより着脱自在に固定されることを特徴とする請求項１、２又は３記載の肩関節脱臼急性期固定用装具。
【発明の詳細な説明】
【０００１】
【発明の属する技術分野】
本発明は、肩関節脱臼の治療において、肩関節を所定位置に固定する肩関節脱臼急性期固定用装具に関する。
【０００２】
【従来の技術】
従来、肩関節脱臼の治療は、首から吊した三角巾を使用して副木により固定した腕を支えるものであった。
ところが、首から吊した三角巾を使用して腕を吊る状態は、肩が内旋位に固定される。
しかし、内旋位は好ましくなく、外旋位が好ましいことが最近の研究で明らかになった。
また、三角巾で腕を吊ることは決して楽ではなく、腕の重みが首又は肩に掛かり苦痛になったり、痛みを感じたりすることがあった。
そこで、種々の肢位に対応が可能であり、且つ個々の患者にも容易に対応することができ、軽量で、患者の動きにも充分な固定が得られる肩関節固定用装具が特開２００１―２９９７８９号公報として公知となっている。
【０００３】
【特許文献】
前記特開２００１―２９９７８９号公報は、図８(a)(b)に示すように、固定体１のE又はF面のどちらか一方を腹部に、残り一方を患者前腕部に接するように置き、患側上肢を２本の上肢保持ベルト１０により把持し固定し、長さを調節した吊り下げベルト１３を健側肩にかけながら背後に回し固定体１に固定する。
図８(c)(d)に示すように、固定体１の安定性を高めるため、更に固定体保持ベルト１６の分割していない側の一端１７を固定体１のD面上に固定し、分割した他端１８の一方をA面に、他方をF面に固定し、腹部及び腰部を覆った形で固定体１と結合する。
各ベルト１０、１３、１６と固定体１とは相互に面ファスナーにより固定される。
【０００４】
【発明が解決しようとする課題】
本発明は、肩関節脱臼の治療において、上肢下垂位、肘を直角に曲げた状態で肩を所定位置に支える肩関節脱臼急性期固定用装具を提供することを目的とする。
【０００５】
【課題を解決するための手段】
そのために、本発明の肩関節脱臼急性期固定用装具は、ほぼ前腕の幅以上で、軽量硬質の厚板材料から一体に形成され、身体の腹部の形状に沿った湾曲部と該湾曲部の一端から屈曲部を介して前方へ一体に延設させ、所定角度に折り曲げられた略前腕長さの腕支え側面とを備えた支えフレームと、前記腕支え側面に前腕を固定する腕支え部材を備えると共に、前記支えフレームと同一幅の可撓性材料からなり、前記支えフレームを身体の胴部に装着する面ファスナーを備える胴巻き帯とからなるものである。
また、前記屈曲部は、両腕の折曲力以上であれば塑性変形可能に構成し、前記腕支え側面を所定角度−２０゜〜３０゜の範囲で角度変更することができるものである。
さらに、本発明の肩関節脱臼急性期固定用装具は、ほぼ前腕の幅以上で、軽量硬質の合成樹脂材料から形成され、身体の腹部の形状に沿った湾曲部と該湾曲部の両端から前方へ延設させ、少なくとも一方の脇腹側から外向きに５°〜１０°の範囲の角度とした略前腕長さの腕支え側面と他方の脇腹側から前記腕支え側面に交接させる傾斜正面とを有する略三角形の支えブロックと、前記腕支え側面に前腕を固定する腕支え部材を備えると共に、前記支えブロックと同一幅の可撓性材料からなり、前記支えブロックを身体の胴部に装着する面ファスナーを備える胴巻き帯とからなるものである。
また、前記腕支え部材は、前記腕支え側面に着脱自在に固定されるものである。
【０００６】
【発明の実施の形態】
以下、本発明の実施例を添付図面に基づいて説明する。
本発明の肩関節脱臼急性期固定用装具Aは、図１に示すように、所定長さからなる厚板状を折り曲げて形成した支えフレーム１と、該支えフレーム１を身体の胴部に装着固定する胴巻き帯２とからなる。
前記支えフレーム１は、前腕（肘から手首までの部分）の幅以上で、軽量硬質の厚板材料、例えば木製、ポリエチレン、ポリプロピレン、発泡スチロール等の合成樹脂製から一体に形成され、身体の腹部の形状に沿った湾曲部３と該湾曲部３の一端から屈曲部４を介して前方へ一体に延設させ、所定角度に折り曲げられた略前腕長さの腕支え側面５とからなる。
例えば、合成樹脂製の場合は、前記屈曲部４を薄肉に形成してヒンジ機構となし、前記屈曲部４には断面くの字状のアルミ金属板等の屈曲板２０を埋設させて両腕の折曲力以上であれば塑性変形可能に構成する。
なお、前記屈曲板２０は、前記折曲部４の補強にもなっている。
前記屈曲部４は前記腕支え側面５を所定角度−２０゜〜３０゜の範囲で角度変更することができるように構成するが、最適角度は５°〜１０°の範囲の角度である。
図７に示すように、０゜は、正面を向いた姿勢で脇腹に平行に前方に延ばした中間位の角度であり、−２０゜とは、前記０゜から腹部に近づく方向に旋回した内旋位の角度であり、３０゜とは、前記０゜から腹部から離れる方向に旋回した外旋位の角度である。
また、前記支えフレーム１の前記腕支え側面５の外側には、幅広状バンドの腕支え部材６を上下方向に背面を接着固定し、腕支え部材６の一端の内側に雄（フック）の面ファスナー７を設け、腕支え部材６の他端の外側に雌（ループ）の面ファスナー８を設けたものである。
なお、腕支え部材６は、図１においては前後に２本形成したがこれに限らず、前記腕支え側面５の長さ一杯の幅広状バンドを１本とすることもできる。
前記胴巻き帯２は、前記支えフレーム１と同一幅の革製、布製、合成繊維製又は合成樹脂製の可撓性帯状材料からなり、前記支えフレーム１の屈曲部４側に一端を固定し、他端を自由端として内面に雄（フック）の面ファスナー７を備える。
なお、前記胴巻き帯２の雄（フック）の面ファスナー７は、前記支えフレーム１の湾曲部３の表面に取り付けられた雌（ループ）の面ファスナー８と係合する。
前記屈曲部４の胴巻き帯２の外面に雌（ループ）の面ファスナー８を設けると共に、前記胴巻き帯２の他端の外面に雌（ループ）の面ファスナー８を設ける。
そして、首から吊り下げるために両端の内側に雄（フック）の面ファスナー７を設けた吊り下げバンド９を設け、吊り下げバンド９の雄（フック）の面ファスナー７を前記屈曲部４の胴巻き帯２の外面の雌（ループ）の面ファスナー８と前記胴巻き帯２の他端の外面の雌（ループ）の面ファスナー８にそれぞれ係合させ吊り下げることができる。
【０００７】
次に、本発明の他の実施例を添付図面に基づいて説明する。
本発明の他の実施例の肩関節脱臼急性期固定用装具Bは、前記肩関節脱臼急性期固定用装具Aのように腕支え側面５を角度変更可能にしたものでなく、腕支え側面５を水平角度の外旋位５°〜１０°の範囲の角度に固定したものである。
なお、前記水平角度は、前記肩関節脱臼急性期固定用装具Aのように所定角度−２０゜〜３０゜の範囲で設計変更することが出来るが、最適角度は５°〜１０°の範囲の角度である。
本発明の肩関節脱臼急性期固定用装具Bは、図２に示すように、所定厚さからなる略三角形状の支えブロック１０と、該支えブロック１０を身体の胴部に装着固定する胴巻き帯２とからなる。
前記支えブロック１０は、前腕の幅以上で、軽量硬質の合成樹脂材料、例えばポリエチレン、ポリプロピレン、発泡スチロール等から形成され、身体の腹部の形状に沿った湾曲部３と該湾曲部３の両端から前方へ延設させ、一方の脇腹側から外向きに５°〜１０°の範囲の角度とした略前腕長さの腕支え側面５と、他方の脇腹側から前記腕支え側面５に交接させた傾斜正面１１とからなる略三角形である。
また、前記支えブロック１０には、前記腕支え側面５に帯状バンドの腕支え部材６を上下方向に背面を接着固定し、先端にそれぞれ面ファスナー７、８を設けたものである。
前記胴巻き帯２は、前記支えブロック１０と同一幅の革製、布製、合成繊維製又は合成樹脂製の可撓性材料からなり、前記支えブロック１０の腕支え側面５側に一端を固定し、他端を自由端として内面に雄（フック）の面ファスナー７を備える。
なお、前記胴巻き帯２の雄（フック）の面ファスナー７は、前記支えブロック１０の傾斜正面１１の表面に取り付けられた雌（ループ）の面ファスナー８と係合する。
そして、前述と同様に、首から吊り下げるために両端の内側に面ファスナー７、７を設けた吊り下げバンド９を設け、吊り下げバンド９の面ファスナー７を前記腕支え側面５側の胴巻き帯２の外面の面ファスナー８と前記胴巻き帯２の自由端の外面の面ファスナー８にそれぞれ係合させることができる。
なお、別の実施例として、支えブロック１２は、軽量硬質の合成樹脂材料、例えば中空状のプラスチック容体から三角形形状に形成することもできる。
【０００８】
次に、前記腕支え側面５に固定される腕支え部材６の他の実施例について図面に基づいて説明する。
図３に示すように、第一実施例の腕支え部材６は、円筒状の円周面の一部に開口部１３を形成した円筒状腕支え部材１４と、前記開口部１３の位置に上下から挟むように形成し、先端に面ファスナー７、８を備えた帯状の支えバンド１５と、前記円筒状腕支え部材１４の前記腕支え側面５側に設けた固定板１６に敷設した面ファスナー７とからなる。
一方、前記腕支え側面５には、前記固定板１６に敷設した面ファスナー７（雄）と係合する面ファスナー８（雌）が敷設される。
したがって、円筒状腕支え部材１４に前腕を挿入し、支えバンド１５を締めることにより簡単に腕支え側面５に支持固定することができるし、また円筒状腕支え部材１４及び固定板１６は腕支え側面５と面ファスナー７で接合されているので、円筒状腕支え部材１４に前腕を挿入した状態のままで、腕支え側面５から取り外すこともできる。
【０００９】
図４に示すように、第二実施例の腕支え部材６は、樋状の一部に開口部１３を形成した樋状腕支え部材１７と、前記開口部１３の位置に上下から挟むように形成し、先端に面ファスナー７、８を備えた帯状の支えバンド１５と、前記樋状腕支え部材１７の前記腕支え側面５側に敷設した面ファスナー７とからなる。
一方、前記腕支え側面５には、前記樋状腕支え部材１７の前記腕支え側面５側に敷設した面ファスナー７（雄）と係合する面ファスナー８（雌）が敷設される。
したがって、樋状腕支え部材１７に前腕を挿入し、支えバンド１５を締めることにより簡単に腕支え側面５に支持固定することができるし、また前述した腕支え部材１４と同様に、前記樋状腕支え部材１７に前腕を挿入した状態のままで、腕支え側面５から取り外すこともできる。
【００１０】
図５に示すように、第三実施例の腕支え部材６は、逆Ｌ字状に形成した逆Ｌ字状腕支え部材１８と、前記逆Ｌ字状腕支え部材１８に腕を上下から挟むように形成し、先端に面ファスナー７、８を備えた幅広帯状の支えバンド１９と、前記逆Ｌ字状腕支え部材１８の前記腕支え側面５側に敷設した面ファスナー７とからなる。
一方、前記腕支え側面５には、前記逆Ｌ字状腕支え部材１８の前記腕支え側面５側に敷設した面ファスナー７（雄）と係合する面ファスナー８（雌）が敷設される。
したがって、逆Ｌ字状腕支え部材１８に前腕を載せ、支えバンド１５を締めることにより簡単に腕支え側面５に支持固定することができるし、また前述した腕支え部材１４と同様に、前記逆Ｌ字状腕支え部材１８に前腕を挿入した状態のままで、腕支え側面５から取り外すこともできる。
【００１１】
次に、本発明の肩関節脱臼急性期固定用装具Aを使用する場合について、図面に基づいて説明する。
まず、図６に示すように、支えフレーム１の湾曲部３を身体の腹部に当てて、胴巻き帯２を背中に廻し、胴巻き帯２の自由端の面ファスナー７を湾曲部３の表面の面ファスナー８に係合させて、身体の胴部に肩関節脱臼急性期固定用装具Aを装着する。
なお、前記胴巻き帯２の屈曲部４側の面ファスナー８と胴巻き帯２の自由端の面ファスナー８にあらかじめ吊り下げバンド９の面ファスナー７、７を係合させて、首に吊り下げバンド９を掛けてから胴巻き帯２を背中に廻し、支えフレーム１の湾曲部３を身体の腹部に当てて、胴巻き帯２の自由端の面ファスナー７を湾曲部３の表面の面ファスナー８に係合させて、身体の胴部に肩関節脱臼急性期固定用装具Aを装着しても良い。
そして、副木（そえぎ）をした前腕を支えフレーム１の腕支え側面５に当てて、腕支え部材６により前腕を上下から包み込み、先端の面ファスナー７、８により前腕を固定する。
その際に、支えフレーム１は身体の腰部に位置しているので、腕は肘関節部でＬ字状に曲げられ、図６に示すように、前腕は脇腹側から所定の水平角度で支えフレーム１に支持固定される。
また、肩関節脱臼急性期固定用装具Aは、屈曲部４で水平角度、すなわち図７に示すように水平方向の角度を−２０゜〜３０゜の範囲で角度変更することが出来るので、予め調節しておくことにより適宜位置で腕支え側面５の前腕を支持することが出来る。
前記水平角度は、外旋位側、すなわち外側へ進むほど肩関節脱臼の治癒が早いが、身体より外側に前腕がはみ出すので日常生活においては不便であり、一方内旋位側、すなわち内側へ進むほど日常生活に支障は生じないが、肩関節脱臼の治癒が遅くなる。
そのため、水平角度の最適範囲は、外旋位５゜〜１０゜が望ましいが、個々の症例において至適角度は異なると考えられ、ある程度の幅を持たせて角度調節ができるようにした。
【００１２】
【効果】
このように、本発明の肩関節脱臼急性期固定用装具は、肩関節脱臼の治療において、上肢下垂位で肘を直角に曲げ、前腕が水平角度−２０゜〜３０゜の範囲で角度変更でき、腕を固定することができるので、確実に肩関節脱臼の治癒ができる。
また、首から吊るようなことがないため、腕の重みが首又は肩に掛かり苦痛になったり、痛みを感じたりすることがない。
【図面の簡単な説明】
【図１】本発明の肩関節脱臼急性期固定用装具Aの斜視図である。
【図２】本発明の肩関節脱臼急性期固定用装具Bの斜視図である。
【図３】本発明の腕支え部材の第一実施例の斜視図である。
【図４】本発明の腕支え部材の第二実施例の斜視図である。
【図５】本発明の腕支え部材の第三実施例の斜視図である。
【図６】本発明の肩関節脱臼急性期固定用装具Aの装着状態の説明図である。
【図７】本発明の腕の水平角度を説明する平面図である。
【図８】従来の肩関節固定用装具の使用状態の斜視図である。
【符号の説明】
１  支えフレーム
２  胴巻き帯
３  湾曲部
４  屈曲部
５  腕支え側面
６  腕支え部材
７  面ファスナー（雄）
８  面ファスナー（雌）
９  吊り下げバンド
１０  支えブロック
１１  傾斜正面
１２  支えブロック
１３  開口部
１４  円筒状腕支え部材
１５  支えバンド
１６  固定板
１７  樋状腕支え部材
１８  逆Ｌ字状腕支え部材
１９  支えバンド
２０  屈曲板




【手続補正書】
【提出日】平成15年11月26日(2003.11.26)
【手続補正１】
【補正対象書類名】明細書
【補正対象項目名】００１１
【補正方法】変更
【補正の内容】
【００１１】
次に、本発明の肩関節脱臼急性期固定用装具Aを使用する場合について、図面に基づいて説明する。
まず、図６に示すように、支えフレーム１の湾曲部３を身体の腹部に当てて、胴巻き帯２を背中に廻し、胴巻き帯２の自由端の面ファスナー７を湾曲部３の表面の面ファスナー８に係合させて、身体の胴部に肩関節脱臼急性期固定用装具Aを装着する。
なお、前記胴巻き帯２の屈曲部４側の面ファスナー８と胴巻き帯２の自由端の面ファスナー８にあらかじめ吊り下げバンド９の面ファスナー７、７を係合させて、首に吊り下げバンド９を掛けてから胴巻き帯２を背中に廻し、支えフレーム１の湾曲部３を身体の腹部に当てて、胴巻き帯２の自由端の面ファスナー７を湾曲部３の表面の面ファスナー８に係合させて、身体の胴部に肩関節脱臼急性期固定用装具Aを装着しても良い。
そして、副木（そえぎ）をした前腕を支えフレーム１の腕支え側面５に当てて、腕支え部材６により前腕を上下から包み込み、先端の面ファスナー７、８により前腕を固定する。
その際に、支えフレーム１は身体の腰部に位置しているので、腕は肘関節部でＬ字状に曲げられ、図６に示すように、前腕は脇腹側から所定の水平角度で支えフレーム１に支持固定される。
また、肩関節脱臼急性期固定用装具Aは、屈曲部４で水平角度、すなわち図７に示すように水平方向の角度を−２０゜〜３０゜の範囲で角度変更することが出来るので、予め調節しておくことにより適宜位置で腕支え側面５の前腕を支持することが出来る。
前記水平角度は、外旋位側、すなわち外側へ進むほど肩関節脱臼の治癒が起こりやすいが、身体より外側に前腕がはみ出すので日常生活においては不便であり、一方内旋位側、すなわち内側へ進むほど日常生活に支障は生じないが、肩関節脱臼の治癒が起こりにくくなる。
そのため、水平角度の最適範囲は、外旋位５゜〜１０゜が望ましいが、個々の症例において至適角度は異なると考えられ、ある程度の幅を持たせて角度調節ができるようにした。